(57)【要約】【課題】大当たり発生時の出玉数量とアウト玉数量とその差玉数量とをリアルタイムで表示することができるパチンコ玉集計装置を提供する。【解決手段】パチンコ機１は、パチンコ玉計数手段（出玉センサ２０Ａ及びアウト玉センサ４４Ａ）と、表示手段（パチンコ玉集計表示部）４６と、制御手段（制御装置）４５とを備える。制御装置４５は出玉センサ２０Ａ及びアウト玉センサ４４Ａで計数された大当たり発生時の出玉数量と、大当たり発生時のアウト玉数量と、出玉数量とアウト玉数量との差玉数量をパチンコ玉集計表示部４６に表示する。【選択図】　　　図１
2004089521.tif 000002
【特許請求の範囲】
【請求項１】
パチンコ玉計数手段と、表示手段と、制御手段とを備え、
該制御手段は前記パチンコ玉計数手段で計数された大当たり発生時の出玉数量と、大当たり発生時のアウト玉数量と、前記出玉数量と前記アウト玉数量との差玉数量を前記表示手段に表示することを特徴とするパチンコ玉集計装置。
【請求項２】
前記表示手段は、パチンコ機の遊技盤に設けられた画像表示部であることを特徴とする請求項１のパチンコ玉集計装置。
【請求項３】
前記表示手段を、パチンコ機の近傍に設けられた島部飾りパネルに設けたことを特徴とする請求項１のパチンコ玉集計装置。
【発明の詳細な説明】
【０００１】
【発明の属する技術分野】
本発明は、大当たり発生時の出玉数量とアウト玉数量とその差玉数量とを表示するパチンコ玉集計装置に関するものである。
【０００２】
【従来の技術】
従来よりこの種パチンコ玉集計装置を備えたパチンコ機には、パチンコ玉を発射する打玉操作ハンドルと遊技盤とが設けられている。遊技盤周囲にはガイドレールが設けられ、その内側には通常入賞口、特別入賞口などが設けられている。ガイドレールの下方にはアウト口が設けられると共に、遊技盤の下方にはパチンコ玉受皿が設けられている。
【０００３】
そして、遊技客はパチンコ店から所定の金額にて所定数量のパチンコ玉を借り、パチンコ機の打玉操作ハンドルを操作することによって、パチンコ玉発射装置からパチンコ玉受皿内のパチンコ玉（自分の持玉数量）が一個一個ガイドレールに沿って遊技領域上方に発射される。発射されたパチンコ玉が遊技領域の下方に落下していく過程で通常入賞口或いは特別入賞口などの入賞口に入って入賞すると、所定数量のパチンコ玉（出玉）がパチンコ玉受皿内に排出されこれが自分の持玉数量に加算され増加していく。このように、入賞した場合、例えば従来のパチンコ機にはカウンタが設けられており、入賞したパチンコ玉をカウントしていた（特許文献１参照）。
【０００４】
【特許文献１】
特開２００１−７９１９３号公報（第１２頁〜第１３頁参照。）。
【０００５】
また、発射されたパチンコ玉が入賞穴に入らない場合、遊技領域の下方に設けられたアウト口に入り、遊技客はアウト口に入ったパチンコ玉の数だけ持玉数量が少なくなる。遊技盤には大当たりが発生した場合の特別入賞口が設けられており、この特別入賞口には開閉板が設けられている。この開閉板は通常は閉じているが大当たりが発生した時のみ開放して特別入賞口にパチンコ玉が入り易くなる。そして、開閉板が開放している間に特別入賞口に一個パチンコ玉が入ると、打玉供給皿に景品玉が１５個払い出される。
【０００６】
そして、大当たりに伴う開閉板の開きは、例えば３０秒間の経過、或いは、特別入賞口に例えば１０個の入賞のうちいずれか早い方の条件が成立すると一端閉じて再度開きこれが予め決められた回数（１５回）繰り返されると大当たりは終了する。係る大当たりが一回発生した場合には開閉板が１５回開閉する間に特別入賞口へは最大１５０個入賞させることができる。
【０００７】
即ち、大当たり発生時には特別入賞口へ入ったパチンコ玉の数量（この場合、最大１５０個）と、特別入賞口へパチンコ玉が一個入賞したとき打玉供給皿３に景品玉が個払い出される数量（１５個）を乗じた数量の２２５０個が打玉供給皿に払い出されていた。また、遊技客は一回の大当たりで打玉供給皿３に払い出された景品玉の数量（２２５０個）から特別入賞口へ入賞させたパチンコ玉の数量（１５０個）を引いた２１００個を自分の持玉数量に増加させていた。
【０００８】
一方、パチンコ玉発射装置からガイドレールに沿って発射されたパチンコ玉は全て特別入賞口へ入賞せず一部のパチンコ玉はアウト玉となってアウト口に入り遊技客の持玉数量は減少していく。このように、大当たりが発生した場合特別入賞口にパチンコ玉が入らずアウト玉数量が多いと遊技客は持玉数量を大量に増加させることができない。
【０００９】
【発明が解決しようとする課題】
しかしながら、大当たり発生時に特別入賞口へ入らずにアウト玉数量が多いと、遊技客は損をしたのではないかと思えてしまう。そこで、大当たりが発生したときの出玉数量とアウト玉数量及び出玉数量とアウト玉数量とその差玉数量を表示し把握することができるパチンコ玉集計装置の開発が望まれていた。
【００１０】
本発明は、係る従来技術の課題を解決するために成されたものであり、大当たり発生時の出玉数量とアウト玉数量とその差玉数量とをリアルタイムで表示することができるパチンコ玉集計装置を提供することを目的とする。
【００１１】
【課題を解決するための手段】
即ち、本発明のパチンコ玉集計装置は、パチンコ玉計数手段と、表示手段と、制御手段とを備え、該制御手段はパチンコ玉計数手段で計数された大当たり発生時の出玉数量と、大当たり発生時のアウト玉数量と、出玉数量とアウト玉数量との差玉数量を表示手段に表示するようにしているので、例えば遊技客は大当たりが発生してから終了するまでの間の出玉数量とアウト玉数量とその差玉数量を把握することができるようになる。
【００１２】
これにより、遊技客は大当たり発生時にどの位の持玉数量が増加していくかをリアルタイムで確認することが可能となる。従って、遊技客は大当たり発生時に例えばどのようなタイミングで打玉操作ハンドルを操作してパチンコ玉を打てばよいのかを判断することができパチンコ機の遊技を大いに楽しむことができるようになるものである。
【００１３】
また、請求項２の発明のパチンコ玉集計装置によれば、上記に加えて、表示手段は、パチンコ機の遊技盤に設けられた画像表示部であるので、例えば遊技客は表示手段に表示された大当たりの図柄を視認しながら大当たりが発生してから終了するまでの出玉数量とアウト玉数量とその差玉数量をパチンコ機の遊技を行いながら把握することができるようになる。これにより、遊技客はリアルタイムで差玉数量を把握しながら、打ち出すパチンコ玉の狙い位置を変化させることが可能となる。従って、大当たり発生時に例えばどのようなタイミングで打玉操作ハンドルを操作してパチンコ玉を打てばよいのかを判断することができるようになり、遊技客は大当たり発生時の持玉数量を大幅に増加させることができるようになるものである。
【００１４】
また、請求項３の発明のパチンコ玉集計装置によれば、請求項１に加えて、表示手段を、パチンコ機の近傍に設けられた島部飾りパネルに設けているので、パチンコ機の入れ替えを行った場合などでも表示手段を交換しなくてもよくなる。従って、パチンコ機の費用を大幅に低減させることができるようになるものである。
【００１５】
【発明の実施の形態】
以下、図面に基づき本発明の実施形態を詳述する。図１は本発明のパチンコ玉集計装置を備えたパチンコ機１の正面図、図２はパチンコ機１の背面図である。実施例のパチンコ機１は、外枠１０に額縁状の前面枠１１を開閉可能に蝶着すると共に、この前面枠１１の開口部にガラス枠２とその下側に打玉供給皿３をそれぞれ独立して開閉可能に軸着した構造とされている。
【００１６】
そして、打玉供給皿３には前面パネル１２が設けられており、打玉供給皿３の下方には打玉供給皿３から溢れたパチンコ玉を貯留するための余剰玉受皿４、および、パチンコ玉を発射する打玉操作ハンドル５が取り付けられている。尚、実施例ではガラス枠２と打玉供給皿３の前面パネル１２が独立して開閉する構造としているが、それに限らず、ガラス枠２と前面パネル１２が一体で開閉する構造でも良く、また、前面パネル１２とそれよりも下部が一体で開閉する構造でも良い。
【００１７】
一方、ガラス枠２の後方には遊技盤６が着脱可能に取り付けられており、この遊技盤６の前面に遊技領域７が構成されている。そして、この遊技領域７には画像表示部４０、通常入賞口４１、特別入賞口４２、アウト口４４などが設けられ、その周囲にはガイドレール８が設けられている。また、遊技領域７の周囲には効果音を発するスピーカ１４や遊技効果ランプＬＥＤ１６が設けられている。尚、通常入賞口４１、特別入賞口４２等によって景品玉の出玉数量は予め決められており、景品玉は打玉供給皿３に払い出される。
【００１８】
更に、背面に設けられた機構板１７の上部には景品玉タンク１８が設けられ、パチンコ機１が遊技機設置島に設置された状態でその上方から景品玉が景品玉タンク１８に供給される。景品玉タンク１８内の景品玉は誘導樋１９によって整列され、図示しない景品玉払出装置に誘導される。そして、景品玉払出装置によって払い出された景品玉は、前面パネル１２に設けられた玉払出口２０から排出される。該玉払出口２０内部には後述する出玉センサ２０Ａ（本発明のパチンコ玉計数手段に相当）が設けられている。
【００１９】
遊技盤６の裏面や機構板１７には、中継基板２１を介して前記画像表示部４０を制御する可変表示制御ユニット（図示せず）、基板ケース２３に覆われた遊技制御用マイクロコンピュータなどの制御装置が搭載された遊技制御基板２４、遊技制御基板２４からの信号などを中継するための中継基板２６、景品玉の払出制御を行う払出制御用マイクロコンピュータなどが搭載された賞球基板２７が設置されている。
【００２０】
更に、前面枠１１裏面には、モータの回転力を利用してパチンコ玉を遊技領域７に発射する打玉発射装置２８と、スピーカ１４や遊技効果ランプＬＥＤ１６に信号を送るための電飾基板２９が設置されている。そして、前記打玉発射装置２８は前記打玉操作ハンドル５の操作によって打玉供給皿３内に貯留されたパチンコ玉をガイドレール８に沿って遊技領域７に一個ずつ発射するものである。また、景品玉タンク１８から払い出されたパチンコ玉は玉払出口２０から打玉供給皿３に払い出される。
【００２１】
また、３０は台間玉貸機でパチンコ機１に隣接して設置されている。該台間玉貸機３０にはカード挿入・排出口３０Ａが設けられている。そして、カード挿入・排出口３０Ａにプリペイドカードが挿入されることにより、遊技客は予め決められた数量のパチンコ玉をプリペイドカードに記録された有価価値の範囲内で打玉供給皿３内に排出させることができる。また、３１は打玉供給皿３から余剰玉受皿４にパチンコ玉を排出するためのスライドレバーであり、前面パネル１２に設けられている。更に、３２はこの余剰玉受皿４からパチンコ玉を下方の図示しない玉箱に排出するためのスライドレバーである。
【００２２】
前記遊技領域７には画像表示部４０と複数の通常入賞口４１と特別入賞口４２が設けられると共に、遊技領域７下部には内部に後述するアウト玉センサ４４Ａ（本発明のパチンコ玉計数手段に相当）が設けられたアウト口４４が設けられている。この画像表示部４０は、例えば、液晶表示器の表示画面で構成されており、例えば０〜９、Ａ〜Ｅの１５種類の識別情報を可変表示するものであり、その停止時の表示結果が予め定められた特定の識別情報の組み合わせ（例えば７７７等の１５通りのゾロ目）となれば、大当たりが発生して特別入賞口４２の開閉板４３が開いて、打ち出したパチンコ玉が特別入賞口４２に入賞しやすい状態となる。
【００２３】
この特別入賞口４２の開閉板４３は、通常時は閉じた状態でパチンコ玉が入賞不可能な状態となっているが、画像表示部４０の表示結果が特定の識別情報の組み合わせとなった大当たり発生時のみ開放する。大当たりに伴う開閉板４３の開き状態は、例えば３０秒間の経過、或いは、特別入賞口４２に例えば１０個の入賞のうちいずれか早い方の条件が成立すると一端閉じて再度開きこれが予め決められた回数（１５回）繰り返されると大当たりは終了する。
【００２４】
一方、画像表示部４０にはパチンコ玉集計表示部４６（本発明の表示手段に相当）が設けられている。また、パチンコ機１にはマイクロコンピュータなどから構成される制御装置４５（本発明の制御手段に相当）が設けられており、この制御装置４５には前記出玉センサ２０Ａ、アウト玉センサ４４Ａ、及び、パチンコ玉集計表示部４６（画像表示部４０を含む）が接続されている（図３）。該制御装置４５はパチンコ玉計数手段（出玉センサ２０Ａ及びアウト玉センサ４４Ａ）が検出したパチンコ玉の数量からその差玉数量を算出する。
【００２５】
即ち、制御装置４５（この場合制御装置４５は一般的にパチンコ機１全体動作の制御を行うが本発明では大当たり発生時の出玉数量と、アウト玉数量のみ説明を行う）は、大当たり発生時に出玉センサ２０Ａとアウト玉センサ４４Ａで検出した出玉数量及びアウト玉数量を計数してパチンコ玉集計表示部４６に表示すると共に、出玉数量とアウト玉数量から差玉数量を算出してパチンコ玉集計表示部４６に表示するように構成されている（図４）。尚、差玉数量は、大当たり発生時に増加した遊技客の持玉数量となる。
【００２６】
これによって、大当たり発生時に遊技客は純粋な持玉数量だけを把握することができるようになる。尚、アウト玉は、大当たりが発生した後打玉発射装置２８にて発射されたパチンコ玉の数量から特別入賞口４２に入賞したパチンコ玉の数量を引いた差玉数量をアウト玉としても差し支えない。また、制御装置４５は遊技領域７内に打ち込まれたパチンコ玉が通常入賞口４１に入賞して、画像表示部４０の表示結果が特定の識別情報の組み合わせとなって大当たりが発生した場合は、スピーカ１４から効果音を発する。
【００２７】
次に、図５のフローチャートを用いてパチンコ玉集計装置の説明を行う。ステップＳ１で遊技客はまず台間玉貸機３０のカード挿入・排出口３０Ａにプリペイドカードを挿入し、プリペイドカードに記録された有価価値の範囲内でパチンコ玉を任意の数量打玉供給皿３内に排出させる。次に、ステップＳ２に進んで遊技客は遊技を続行する場合ステップＳ３に進む。尚、ステップＳ２で遊技客は遊技を中止する場合終了する。
【００２８】
ステップＳ３で、遊技客によって打玉操作ハンドル５が操作されると打玉発射装置２８によって打玉供給皿３内に貯留されたパチンコ玉はガイドレール８に沿って一個一個遊技領域７上方に向け発射される。打玉発射装置２８から発射されたパチンコ玉が遊技領域７の下方に落下していく過程で通常入賞口４１に入賞すると、所定量のパチンコ玉が玉払出口２０から打玉供給皿３に払い出され、払い出されたパチンコ玉の数量分遊技客の持玉数量が増加していく。打玉発射装置２８から発射されたパチンコ玉が入賞穴に入らない場合、ガイドレール８の下方に設けられたアウト口４４に入りその数量分遊技客の持玉数量は減少していく。
【００２９】
そして、遊技中に画像表示部４０に表示された識別情報が可変表示され、その停止時の表示結果が予め定められた特定の識別情報の組み合わせとなって大当たりが発生すると特別入賞口４２の開閉板４３が開いてステップＳ４に進み、制御装置４５は出玉センサ２０Ａが検出した玉払出口２０から打玉供給皿３に払い出されたパチンコ玉の出玉数量をカウントしてパチンコ玉集計表示部４６に大当たり発生時の出玉数量を表示する。尚、ステップＳ３で大当たりが発生していない場合はステップＳ２に戻り、遊技を続行する場合ステップＳ３に進み、遊技を中止する場合終了する。
【００３０】
次に、ステップＳ５に進んで制御装置４５はアウト玉センサ４４Ａが検出したアウト玉数量をカウントしてパチンコ玉集計表示部４６に大当たり発生時のアウト玉数量を表示する。ステップＳ６で制御装置４５は、大当たり発生時の出玉数量とアウト玉数量から差玉数量を算出し、ステップＳ７でパチンコ玉集計表示部４６に表示してステップＳ８に進む。
【００３１】
そこで、まだ大当たりが継続している場合はステップＳ４に戻りステップＳ５乃至ステップＳ８を実行する。即ち、制御装置４５は大当たりが開始してから終了するまでリアルタイムで大当たり発生時の出玉数量とアウト玉数量及び出玉数量とアウト玉数量との差玉数量を算出してパチンコ玉集計表示部４６に表示する。この場合、制御装置４５は例えば１秒間隔乃至２秒間隔で出玉数量とアウト玉数量とその差玉数量をパチンコ玉集計表示部４６に表示する。尚、ステップＳ８で大当たりが終了した場合はステップＳ２に戻り以降を実行する。
【００３２】
このように、制御装置４５のパチンコ玉計数手段で計数された大当たり発生時の出玉数量と、大当たり発生時のアウト玉数量と、出玉数量とアウト玉数量との差玉数量をパチンコ玉集計表示部４６に表示するようにしているので、遊技客は大当たり発生時に打ち出したパチンコ玉がどの位の数量特別入賞口４２に入賞し、どの位の数量アウト玉が発生し、どの位の数量持玉数量（この場合、差玉数量）が増加したかをリアルタイムで把握することが可能となる。これにより、遊技客は大当たり発生時にどのようなタイミングで打玉操作ハンドル５を操作してパチンコ玉を打てばよいのかを判断することができるようになり、大当たり発生時の持玉数量を大幅に増加させることができるようになる。
【００３３】
また、パチンコ玉集計表示部４６をパチンコ機１の遊技盤６に設けられた画像表示部４０に設けているので、遊技客はパチンコ玉集計表示部４６に表示された大当たりの図柄を視認しながら大当たりが発生してから終了するまでの出玉数量とアウト玉数量とその差玉数量を、打玉操作ハンドル５を操作しながら把握することができるようになる。これにより、遊技客はリアルタイムで差玉数量を把握しながら、打ち出すパチンコ玉の狙い位置を変えることが可能となる。従って、大当たり発生時にどのようなタイミングで打玉操作ハンドル５を操作してパチンコ玉を打てばよいのかを判断することができるようになり、遊技客は大当たり発生時の持玉数量を大幅に増加させることができるようになる。
【００３４】
次に、図６には本発明の他の実施例のパチンコ玉集計装置を示している。この場合、パチンコ玉集計表示部４６をパチンコ機１の近傍に設けている。即ち、パチンコ玉集計表示部４６を各パチンコ機１上側の島部飾りパネル５０に設けており、パチンコ機１はパチンコ玉集計表示部４６を除いて前述同様に構成されている。これにより、大当たり発生時にどのようなタイミングで打玉操作ハンドル５を操作してパチンコ玉を打てばよいのか島部飾りパネル５０に設けられたパチンコ玉集計表示部４６を視認するだけで判断でき、遊技客は前述同様大当たり発生時の持玉数量を大幅に増加させることができるようになる。従って、パチンコ機１の入れ替えが行われた場合などでもパチンコ玉集計表示部４６を交換しなくてもよ、パチンコ機１の費用を大幅に低減させることができるようになる。
【００３５】
尚、実施例ではパチンコ玉集計表示部４６をパチンコ機１の遊技盤６に設けられた画像表示部４０、或いは、パチンコ機１の近傍に設けられた島部飾りパネル５０に設けたが、パチンコ玉集計表示部４６を設ける位置はこれに限らず遊技客が容易にパチンコ玉集計表示部４６を視認することができれば台間玉貸機３０、或いは、パチンコ機１などのどの位置に設けても差し支えない。
【００３６】
【発明の効果】
以上詳述した如く本発明によれば、パチンコ玉計数手段と、表示手段と、制御手段とを備え、該制御手段はパチンコ玉計数手段で計数された大当たり発生時の出玉数量と、大当たり発生時のアウト玉数量と、出玉数量とアウト玉数量との差玉数量を表示手段に表示するようにしているので、例えば遊技客は大当たりが発生してから終了するまでの間の出玉数量とアウト玉数量とその差玉数量とを把握することができるようになる。
【００３７】
これにより、遊技客は大当たり発生時にどの位の持玉数量が増加していくかをリアルタイムで確認することが可能となる。従って、遊技客は大当たり発生時に例えばどのようなタイミングで打玉操作ハンドルを操作してパチンコ玉を打てばよいのかを判断することができパチンコ機の遊技を大いに楽しむことができるようになるものである。
【００３８】
また、請求項２の発明によれば、上記に加えて、表示手段は、パチンコ機の遊技盤に設けられた画像表示部であるので、例えば遊技客は表示手段に表示された大当たりの図柄を視認しながら大当たりが発生してから終了するまでの出玉数量とアウト玉数量とその差玉数量をパチンコ機の遊技を行いながら把握することができるようになる。これにより、遊技客はリアルタイムで差玉数量を把握しながら、打ち出すパチンコ玉の狙い位置を変化させることが可能となる。従って、大当たり発生時に例えばどのようなタイミングで打玉操作ハンドルを操作してパチンコ玉を打てばよいのかを判断することができるようになり、遊技客は大当たり発生時の持玉数量を大幅に増加させることができるようになるものである。
【００３９】
また、請求項３の発明によれば、請求項１に加えて、表示手段を、パチンコ機の近傍に設けられた島部飾りパネルに設けているので、パチンコ機の入れ替えを行った場合などでも表示手段を交換しなくてもよくなる。従って、パチンコ機の費用を大幅に低減させることができるようになるものである。
【図面の簡単な説明】
【図１】本発明のパチンコ玉集計装置を備えたパチンコ機の正面図である。
【図２】同図１のパチンコ機の背面図である。
【図３】本発明のパチンコ玉集計装置のブロック図である。
【図４】パチンコ玉集計表示部の正面図である。
【図５】パチンコ玉集計装置のフローチャートである。
【図６】他の実施例のパチンコ玉集計装置である。
【符号の説明】
１　パチンコ機
３　打玉供給皿
４　余剰玉受皿
５　打玉操作ハンドル
６　遊技盤
７　遊技領域
１８　景品玉タンク
２０　玉払出口
２０Ａ　出玉センサ
３０　台間玉貸機
４０　画像表示部
４１　通常入賞口
４２　特別入賞口
４３　開閉板
４４　アウト口
４４Ａ　アウト玉センサ
４５　制御装置
４６　パチンコ玉集計表示部
【図１】
2004089521.tif 000003
【図２】
2004089521.tif 000004
【図３】
2004089521.tif 000005
【図４】
2004089521.tif 000006
【図５】
2004089521.tif 000007
【図６】
2004089521.tif 000008